(57)【要約】【課題】持ち運び中での情報機器端末の置き忘れ対策、防犯対策を実現する警報システムを提供することである。【解決手段】実施形態の警報システムは、第１の子機が、定期信号を発信する。第２の子機が、前記第１の子機から発信された定期信号を受信し、前記定期信号の強度が予め設定された信号閾値を下回った場合に、警報音を発生させるとともに警告信号を発信する。親機が、前記第２の子機から発信された前記警告信号を受信した場合に、前記第１の子機が取り付けられた情報機器端末を特定し、前記情報機器端末の位置を特定する。【選択図】図１
2013246653.tif 000002
【特許請求の範囲】
【請求項１】
定期信号を発信する第１の子機と、
前記第１の子機から発信された定期信号を受信し、前記定期信号の強度が予め設定された信号閾値を下回った場合に、警報音を発生させるとともに警告信号を発信する第２の子機と、
前記第２の子機から発信された前記警告信号を受信した場合に、前記第１の子機が取り付けられた情報機器端末を特定し、前記情報機器端末の位置を特定する親機と
を有する警報システム。
【請求項２】
定期信号を発信する第１の子機と、
前記第１の子機から発信された定期信号を受信し、前記定期信号の強度が予め設定された信号閾値を下回り、かつ前記定期信号の強度が前記信号閾値を下回ってからの時間が、予め設定された時間閾値を超えた場合に、警報音を発生させるとともに警告信号を発信する第２の子機と、
前記第２の子機から発信された前記警告信号を受信した場合に、前記第１の子機が取り付けられた情報機器端末を特定し、前記情報機器端末の位置を特定する親機と
を有する警報システム。
【請求項３】
前記親機が、前記情報機器端末にセキュリティ信号を発信する請求項１又は請求項２に記載の警報システム。
【発明の詳細な説明】
【技術分野】
【０００１】
本発明の実施形態は、警報システムに関する。
【背景技術】
【０００２】
従来、業務等で支給されるパソコンの紛失および盗難による情報漏えい防止策としては、ワイヤーロックやＰＣカードによる移動先での固定・検知方式が中心である。そのため、遠距離出張等による持ち運び中での置き忘れ対応、盗難対応についてはなされておらず、持ち運び中での置き忘れ対策、防犯対策が求められる。
【先行技術文献】
【特許文献】
【０００３】
【特許文献１】実用新案登録第３１０４７９９号公報
【発明の概要】
【発明が解決しようとする課題】
【０００４】
本発明が解決しようとする課題は、持ち運び中での情報機器端末の置き忘れ対策、防犯対策を実現する警報システムを提供することである。
【課題を解決するための手段】
【０００５】
実施形態の警報システムは、第１の子機が、定期信号を発信する。第２の子機が、前記第１の子機から発信された定期信号を受信し、前記定期信号の強度が予め設定された信号閾値を下回った場合に、警報音を発生させるとともに警告信号を発信する。親機が、前記第２の子機から発信された前記警告信号を受信した場合に、前記第１の子機が取り付けられた情報機器端末を特定し、前記情報機器端末の位置を特定する。
【図面の簡単な説明】
【０００６】
【図１】実施形態の警報システムの構成を示すブロック図。
【図２】実施形態の警報システムにおける第１の子機の構成を示すブロック図。
【図３】実施形態の警報システムにおける第２の子機の構成を示すブロック図。
【図４】実施形態の警報システムにおける親機の構成を示すブロック図。
【図５】実施形態の警報システムにおける第２の子機の動作を示すフローチャート。
【図６】実施形態の警報システムにおける親機の動作を示すフローチャート。
【発明を実施するための形態】
【０００７】
以下、実施形態を図面に基づき説明する。
【０００８】
図１は実施形態の警報システムの構成を示すブロック図である。
【０００９】
実施形態の警報システムは、図１に示すように、業務で支給されるパソコン等の情報機器端末に取り付けられる第１の子機１、ユーザーが所持する第２の子機２、企業の情報セキュリティ部門の事務所等に置かれる親機３を有する。ここで、第１の子機１と第２の子機２は無線通信が可能であり、同様に第２の子機２と親機３は無線通信が可能である。
【００１０】
図２は実施形態の警報システムにおける第１の子機の構成を示すブロック図である。
【００１１】
第１の子機１は、電源１０１、電源スイッチ１０２、定期信号発信部１０３を有する。
【００１２】
定期信号発信部１０３は、電源スイッチ１０２を介して電源１０１と接続され、ユーザーが電源スイッチ１０２をオンにすることにより発信可能状態となり、一定間隔で信号（定期信号）を発信する。
【００１３】
図３は実施形態の警報システムにおける第２の子機の構成を示すブロック図である。
【００１４】
第２の子機２は、電源２０１、電源スイッチ２０２、定期信号受信部２０３、入力部２０４、閾値設定部２０５、記憶部２０６、警告信号判断部２０７、警告信号発信部２０８、警報音発生部２０９を有する。
【００１５】
定期信号受信部２０３は、電源スイッチ２０２を介して電源２０１と接続され、ユーザーが電源スイッチ２０２をオンにすることにより受信可能状態となる。そして第１の子機１の定期信号発信部１０３から発信された定期信号を受信し、警告信号判断部２０７に出力する。
【００１６】
入力部２０４は、キーボードやボタン、ペン、タッチパネルなどの入力制御を行う入力装置、入力手段である。ユーザーによって、第１の子機１と第２の子機２が離れた場合の距離や時間の設定値が入力される。さらに、人の発する音声を認識することにより、入力信号として検出する機能を備えていてもよい。また、入力部２０４は第２の子機２に実装されていてもよいし、ケーブルなどで外部から接続されてもよい。
【００１７】
閾値設定部２０５は、入力部２０４に入力された距離に対応した定期信号の受信強度を信号閾値として設定する。また、入力部２０４に入力された時間を時間閾値として設定する。
【００１８】
記憶部２０６は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリである。また、ＳＤカードのような外部メモリを備えていてもよい。
【００１９】
記憶部２０６には、ＣＰＵ（Ｃｅｎｔｒａｌ  Ｐｒｏｃｅｓｓｉｎｇ  Ｕｎｉｔ）やマイコンなどのプロセッサが警告信号判断部２０７での処理に必要なプログラムが格納される。
【００２０】
警告信号判断部２０７は、定期信号受信部２０３で受信された定期信号と、閾値設定部２０５で設定された信号閾値および時間閾値を取得し、警告信号を発信するか否かを判断する。そして警告信号を発信する場合は、警告信号発信部２０８に警告信号を発信する命令を出力し、警報音発生部２０９に警報音を発生させる命令を出力する。
【００２１】
警告信号発信部２０８は、警告信号判断部２０７からの命令を取得し、警告信号を発信する。
【００２２】
警報音発生部２０９は、警告信号判断部２０７からの命令を取得し、警報音を発生させる。
【００２３】
図４は実施形態の警報システムにおける親機の構成を示すブロック図である。
【００２４】
親機３は、警告信号受信部３０１、記憶部３０２、セキュリティ信号判断部３０３、セキュリティ信号発信部３０４、表示部３０５を有する。
【００２５】
警告信号受信部３０１は、第２の子機２の警告信号発信部２０８から発信された警告信号を受信し、セキュリティ信号判断部３０３に出力する。
【００２６】
記憶部３０２は、ＲＡＭやＲＯＭ（などのメモリ及び、ハードディスクドライブ（Ｈａｒｄ  Ｄｉｓｋ  Ｄｒｉｖｅ：ＨＤＤ）などの記憶装置、記憶手段である。ＨＤＤなどの磁気ディスク以外にも光磁気ディスクやＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ブルーレイディスク（Ｂｌｕ−ｒａｙ  Ｄｉｓｃ）などの光ディスクを利用してもよい。
【００２７】
記憶部３０２には、情報機器端末ＤＢ（Ｄａｔａ  Ｂａｓｅ：データベース）３０６、地図情報ＤＢ３０７および、ＣＰＵやマイコンなどのプロセッサがセキュリティ信号判断部３０３での処理に必要なプログラムが格納される。ここで、情報機器端末ＤＢ３０６には、業務で支給されるパソコンなど、第１の子機１が取り付けられた情報機器端末を特定するための情報が予め格納されている。地図情報ＤＢ３０７には、一般的なナビゲーションシステムなどで利用されている２次元や３次元の地図情報が格納されている。
【００２８】
セキュリティ信号判断部３０３は、情報機器端末ＤＢ３０６を参照し、第１の子機１が取り付けられた情報機器端末を特定する。また、地図情報ＤＢ３０７を参照し、第１の子機１が取り付けられた情報機器端末の位置を特定する。そしてセキュリティ信号発信部３０４に命令を出力し、表示部３０５に情報機器端末の位置情報を出力する。
【００２９】
セキュリティ信号発信部３０４は、セキュリティ信号判断部３０３からの命令を取得し、セキュリティ信号を発信する。
【００３０】
そして、第１の子機１が取り付けられた情報機器端末は、セキュリティ信号を受信することでセキュリティロックが掛けられる。
【００３１】
表示部３０５は、液晶ディスプレイ、有機ＥＬディスプレイ、プラズマディスプレイなどの出力装置、出力手段であり、セキュリティ信号判断部３０３で特定された情報機器端末の位置情報が表示される。さらに、音を発する機能を備えていてもよい。
【００３２】
次に動作について図５、図６を用いて説明する。図５は実施形態の警報システムにおける第２の子機の動作を示すフローチャートであり、以下のステップを有する。
【００３３】
（ステップＳ４０１）まず、入力部２０４がユーザーによって操作され、第１の子機１と第２の子機２が離れた場合の距離や時間の設定値が入力される。この入力操作は、ユーザーがキーボードやボタン、ペン、タッチパネル、音声などで直接入力してもよいし、予め設定された一覧表から選択してもよい。
【００３４】
（ステップＳ４０２）閾値設定部２０５が、入力部２０４に入力された距離および時間の設定値を取得し、入力部２０４に入力された距離に対応した定期信号の受信強度を信号閾値として設定する。また、入力部２０４に入力された時間を時間閾値として設定する。
【００３５】
（ステップＳ４０３）定期信号受信部２０３が、第１の子機１の定期信号発信部１０３から発信された定期信号を受信し、警告信号判断部２０７に出力する。
【００３６】
（ステップＳ４０４）（ステップＳ４０５）警告信号判断部２０７が、定期信号受信部２０３で受信された定期信号と、閾値設定部２０５で設定された信号閾値および時間閾値を取得する。次に、記憶部２０６を参照し、受信された定期信号の強度が信号閾値を下回っているか否かの判断を行う。定期信号の強度が信号閾値を下回っており、かつ定期信号の強度が信号閾値を下回ってからの時間が時間閾値を超えた場合に、警報音を発生させる命令を警報音発生部２０９に出力する。また、警告信号を発信する命令を警告信号発信部２０８に出力する。
【００３７】
（ステップＳ４０６）警報音発生部２０９が、警告信号判断部２０７からの命令を取得し、警報音を発生させる。また、警告信号発信部２０８が、警告信号判断部２０７からの命令を取得し、警告信号を発信する。
【００３８】
図６は実施形態の警報システムにおける親機の動作を示すフローチャートであり、以下のステップを有する。
【００３９】
（ステップＳ５０１）警告信号受信部３０１が、第２の子機２の警告信号発信部２０８から発信された警告信号を受信し、セキュリティ信号判断部３０３に出力する。
【００４０】
（ステップＳ５０２）セキュリティ信号判断部３０３が、記憶部３０２に格納されている情報機器端末ＤＢ３０６を参照し、第１の子機１が取り付けられた情報機器端末を特定する。また、地図情報ＤＢ３０７を参照し、第１の子機１が取り付けられた情報機器端末の位置を特定する。そして、セキュリティ信号を発信する命令をセキュリティ信号発信部３０４に出力し、情報機器端末の位置情報を表示部３０５に出力する。
【００４１】
（ステップＳ５０３）セキュリティ信号発信部３０４が、セキュリティ信号判断部３０３からの命令を取得し、セキュリティ信号を発信する。また、表示部３０５が、セキュリティ信号判断部３０３からの位置情報を取得し、第１の子機１が取り付けられた情報機器端末の位置情報を表示する。
【００４２】
以上説明した実施形態によれば、業務用パソコンなどの情報機器端末に取り付けられた第１の子機１とユーザーが所持する第２の子機２とが、一定距離、一定時間離れた場合に警報音を発生させ、親機３に対して警告信号を発信する。そして、警告信号を受信した親機３によって情報機器端末の位置情報を知ることができる。
【００４３】
そのため、持ち運び中での情報機器端末の置き忘れ対策、防犯対策を実現することができ、盗難等に遭った場合でも早期に回収することが可能となる。
【００４４】
上記の実施例では、親機３のセキュリティ信号判断部３０３は、特定した情報機器端末の位置情報を表示部３０５に出力するが、記憶部３０２の情報機器端末ＤＢ３０６にユーザーの携帯電話やＰＤＡ（Ｐａｒｓｏｎａｌ  Ｄｉｇｉｔａｌ  Ａｓｉｓｔａｎｔ）などの携帯通信端末の情報を予め格納しておき、これらの携帯通信端末にも特定した位置情報を送信するようにしてもよい。
【００４５】
また、上記の実施例では、第１の子機１と第２の子機２とが、一定距離、一定時間離れた場合に警報音を発生させ、親機３に対して警告信号を発信する構成となっているが、第１の子機１と第２の子機２とが、一定距離近づいた場合に音を発生させ、親機３に対して信号を発信する構成を備えていてもよい。このように構成することによって、盗難時等の早期回収により役立つことが可能である。
【００４６】
本実施形態は、例として提示したものであり、発明の範囲を限定することは意図していない。本実施形態は、その他の様々な形態で実施されることが可能であり、発明の要旨を逸脱しない範囲で、種々の省略、置き換え、変更を行うことができる。本実施形態やその変形は、発明の範囲や要旨に含まれると同様に、特許請求の範囲に記載された発明とその均等の範囲に含まれる。
【符号の説明】
【００４７】
１…第１の子機
２…第２の子機
３…親機
１０１，２０１…電源
１０２，２０２…電源スイッチ
１０３…定期信号発信部
２０３…定期信号受信部
２０４…入力部
２０５…閾値設定部
２０６，３０２…記憶部
２０７…警告信号判断部
２０８…警告信号発信部
２０９…警報音発生部
３０１…警告信号受信部
３０３…セキュリティ信号判断部
３０４…セキュリティ信号発信部
３０５…表示部
３０６…情報機器端末ＤＢ（Ｄａｔａ  Ｂａｓｅ：データベース）
３０７…地図情報ＤＢ
【図１】
2013246653.tif 000003
【図２】
2013246653.tif 000004
【図３】
2013246653.tif 000005
【図４】
2013246653.tif 000006
【図５】
2013246653.tif 000007
【図６】
2013246653.tif 000008